(57)【特許請求の範囲】
【請求項１】
複数の輻射ヒーターと、前記輻射ヒーターの上方に輻射熱を反射させる反射板と、循環用ファンと前記循環用ファンを回転させる循環モーターと、換気用ファンと前記換気用ファンを回転させる換気モーターと、下方に吹出しガードを備え、前記反射板を固定し前記輻射ヒーターを貫通させる開口と回動軸穴とを備えた回動板と、前記回動板を軸支する回動軸部とを設け、前記回動板を回動させると前記輻射ヒーターと前記反射板が位置関係を保持したまま回動するものであって、前記回動軸部に、前記回動板の位置をずれにくくする、すなわち、前記回動軸穴が前記回動軸から外れることのないように前記回動板の上部端面に接し、前記回動板を挟み込む形状としてＬ字型の回動板位置決め部を設けたことを特徴とする浴室換気乾燥機。
【請求項２】
回動板に、回動操作部を設けたことを特徴とする請求項１記載の浴室換気乾燥機。
【請求項３】
回動板の下方を、吹出しガードから下方へ突出していることを特徴とする請求項１または２記載の浴室換気乾燥機。
【発明の詳細な説明】
【技術分野】
【０００１】
本発明は、輻射ヒーターの輻射方向を可変できる浴室などの室内の空気を換気乾燥する浴室換気乾燥機に関する。
【背景技術】
【０００２】
従来、この種の浴室換気乾燥機は、浴室の換気装置に乾燥あるいは暖房機能を持たせ、浴室の空気を換気乾燥する浴室換気乾燥機がいくつか提案されている。例えば、浴室内の空気を建物の外へ排気する換気ユニットと浴室内の空気を循環させる循環ユニットを備え、浴室内の入浴者を熱線を輻射するヒーターの輻射熱で暖める構成のものが知られている（例えば、特許文献１参照）。
【０００３】
以下、その浴室換気乾燥機について図２１〜図２３を参照しながら説明する。
【０００４】
図に示すように、換気ユニット１０２と、浴室に面した換気ユニット１０２の吸気開口および吹出開口に隣接した位置に設けられたカーボンランプ１０４と反射板１０５と輻射開口１０６を備えた暖房ユニット１０３を設けた浴室換気乾燥機１０１において、カーボンランプ１０４の軸線上に軸１０７、軸１０８を設け、この軸１０７、１０８を暖房ケース１０９の両側板１１０、１１１に軸支させて軸１０７，１０８回りに反射板１０５を回動させ、反射板１０５の向きを変えられるようにしたものである。
【特許文献１】特開２００３−１６６７３７号公報（請求項２、３および４、図６、図７、図８、図９など）
【発明の開示】
【発明が解決しようとする課題】
【０００５】
このような従来の浴室換気乾燥機では、寒冷時の入浴中に入浴者を暖めるために入浴者のいる方向へ輻射熱が向うように設置されているが、一般的にヒーターの向きは構成上制限されているので、浴室換気乾燥機を設置する際には、ヒーターの輻射熱が浴槽隣の洗い場方向へ向くように設置しなければならないという課題があった。
【０００６】
本発明は、このような従来の課題を解決するものであり、ヒーターの設置方向にとらわれずに施工できる浴室換気乾燥機を提供することを目的としている。
【課題を解決するための手段】
【０００８】
本発明の浴室換気乾燥機は上記目的を達成するために、複数の輻射ヒーターと、前記輻射ヒーターの上方に輻射熱を反射させる反射板と、循環用ファンと前記循環用ファンを回転させる循環モーターと、換気用ファンと前記換気用ファンを回転させる換気モーターと、下方に吹出しガードを備え、前記反射板を固定し前記輻射ヒーターを貫通させる開口と回動軸穴とを備えた回動板と、前記回動板を軸支する回動軸部とを設け、前記回動板を回動させると前記輻射ヒーターと前記反射板が位置関係を保持したまま回動するものであって、前記回動軸部に、前記回動板の位置をずれにくくする、すなわち、前記回動軸穴が前記回動軸から外れることのないように前記回動板の上部端面に接し、前記回動板を挟み込む形状としてＬ字型の回動板位置決め部を設けたものである。
【０００９】
また、回動板に、回動操作部を設けたものである。
【００１１】
また、回動板の下方を、吹出しガードから下方へ突出しているものである。
【発明の効果】
【００１２】
本発明によれば、ヒーターの輻射方向を可変でき、浴室換気乾燥機の設置位置の自由度が向上し、施工工事における制約を低減することができるという効果のある浴室換気乾燥機を提供できる。
【発明を実施するための最良の形態】
【００１４】
本発明の請求項１記載の浴室換気乾燥機は、複数の輻射ヒーターと、前記輻射ヒーターの上方に輻射熱を反射させる反射板と、循環用ファンと前記循環用ファンを回転させる循環モーターと、換気用ファンと前記換気用ファンを回転させる換気モーターと、下方に吹出しガードを備え、前記反射板を固定し前記輻射ヒーターを貫通させる開口と回動軸穴とを備えた回動板と、前記回動板を軸支する回動軸部とを設け、前記回動板を回動させると前記輻射ヒーターと前記反射板が位置関係を保持したまま回動するものであって、前記回動軸部に、前記回動板の位置をずれにくくする、すなわち、前記回動軸穴が前記回動軸から外れることのないように前記回動板の上部端面に接し、前記回動板を挟み込む形状としてＬ字型の回動板位置決め部を設けたことを特徴とするものであり、回動部が軸支部から外れることなく回動できるという作用を有する。
【００１５】
また、請求項２記載の浴室換気乾燥機は、回動板に、回動操作部を設けたことを特徴とするものであり、回動操作が容易にできるという作用を有する。
【００１７】
また、請求項４記載の浴室換気乾燥機は、回動板の下方を、吹出しガードから下方へ突出していることを特徴とするものであり、吹出しガード部を外すことなく、回動部を操作できるため、安全に輻射方向を可変できるという作用を有する。
【００１８】
以下、本発明の実施の形態について図１〜図１４を参照しながら説明する。
【００１９】
（実施の形態１）
図１〜図７に示すように、本発明の浴室換気乾燥機１は、循環用ファン３と循環用ファン３を回転させる循環モーター４と、換気用ファン５と換気用ファン５を回転させる換気モーター６と、循環用ファン３と換気用ファン５の下方にはそれぞれ浴室内の空気を吸気する吸気開口７が設けられ、循環用ファン３の吹出し側には、内側に向けて回動軸１０を有する回動軸部１１と直管状の２本の輻射ヒーター１２を貫通させ、輻射ヒーター１２のそれぞれの鉛直を０度として−１６度から＋２０度の回動範囲と同等の面積を持つ開口１３を有する勝手違いの暖房ユニット側板９と暖房ユニット側板９を連結する遮熱板１４と遮熱板１４の下方に２本の輻射ヒーター１２の上方に輻射熱を反射する反射板１５と、反射板１５に連結され、２本の輻射ヒーター１２を貫通させる２個の貫通穴１６と回動軸部１１をはめ込む回動軸穴１７を貫通穴１６の中心を結ぶ中心線２４の中央に設けた勝手違いの回動板１８と、２本の輻射ヒーター１２それぞれの回動範囲と同等の面積の開口１９を設けた暖房ユニット側板９の両外側から取り付けられる輻射ヒーター支持板２０と、２本の輻射ヒーター１２の下方に着脱可能な吹出しガード２１により形成される輻射暖房ユニット８が設けられた本体２と、換気用ファン５の吹出し側には屋外と連通するダクトが接続される排気アダプター２２と、本体２の下方に着脱可能なルーバー２３とを備えた構成である。
【００２０】
上記構成において、２本の輻射ヒーター１２と反射板１５は回動板１８と一体的に回動板１８に設けられた回動軸穴１７を介して回動軸１０に接続されている。このため、回動板１８を回動軸１０周りに回動させると輻射ヒーター１２と反射板１５は位置関係を保持したまま、輻射熱の輻射角度を可変することが可能となる。このとき、暖房ユニット側板９と輻射ヒーター支持板２０には、輻射ヒーター１２の回動範囲と同等の開口面積を有する開口１３と開口１９が設けられているため、その回動範囲を超えて回動することがない。この回動範囲は、輻射方向を鉛直下向きを０度としたときに−１６度から＋２０度の角度範囲を有し、一坪タイプの浴室４０においては、浴槽４１の上部の天井に浴槽４１側の壁面から４００ｍｍから５００ｍｍの位置にこの浴室換気乾燥機１を、排気アダプター２２の向きを屋内側に向けて設置するときには、輻射暖房ユニット８は洗い場４２から離れることになるため、吹出しガード２１を外し、回動板１８を回動操作して＋２０度の角度に輻射方向４３を設定すれば、洗い場中央に輻射熱を向けることが可能となる。また、排気アダプター２２の向きを屋外側に向けて設置するときには、輻射暖房ユニット８は洗い場４２に近づくことになるため、吹出しガード２１を外し、回動板１８を回動操作して−１６度の角度に設定すれば、洗い場中央に輻射熱を向けることが可能となる。
【００２１】
以上のように、排気アダプター２２の向きによらず、輻射方向を洗い場４２中央に向けることができ、施工上の制約を低減できるという効果を奏する。
【００２２】
なお、実施の形態１では輻射ヒーター１２を２本としたが、２本以上の輻射ヒーターを設けても良く、その作用効果に差異はない。
【００２３】
また、一坪タイプの浴室４０用に輻射ヒーター１２の回動範囲を−１６度から＋２０度としたが、浴室換気乾燥機１の取付位置および浴室４０の広さにより回動範囲を変更しても良く、その作用効果に差異はない。
【００２４】
（実施の形態２）
実施の形態２について、図８を参照しながら説明する。
【００２５】
なお、実施の形態１と同様の構成要素は同一符号で示し、その詳細な説明は省略する。
【００２６】
図８に示すように、輻射暖房ユニット８の暖房ユニット側板９に回動板１８の上部端面に接し、回動板１８を暖房ユニット側板９と挟み込むように２箇所ずつ回動板位置決め部２６を備えた構成である。
【００２７】
上記構成において、回動板１８の上部端面に接し、回動板１８を暖房ユニット側板９と挟み込む形状としてＬ字型の２箇所の回動板位置決め部２６を設けることにより、回動板１８を回動操作するときに、回動板１８の面がずれることなく、また、回動板上部端面に接して回動板位置決め部２６が設けられているため、下方からの回動操作時の応力により回動板１８に設けられている回動軸穴１７が回動軸１０から外れずに操作できる。
【００２８】
なお、実施の形態２では、回動板位置決め部２６の形状をＬ字型としたが、回動板１８を挟み込む形状であれば他の形状としてもよく、その効果作用に差異はない。
【００２９】
また、回動板位置決め部２６の個数を２箇所としたが、１箇所あるいは２箇所以上でも良く、その作用効果に差異はない。
【００３０】
（実施の形態３）
実施の形態３について、図９を参照しながら説明する。
【００３１】
なお、実施の形態１および２と同様の構成要素は同一符号とし、その詳細な説明は省略する。
【００３２】
図９に示すように、回動板１８に２箇所ずつ回動操作部２７を備えた構成である。回動操作部２７は人が触れても安全なように鋭利な端面が露出しないよう曲げ加工してある。
【００３３】
上記構成により、回動操作部２７を手で保持することによりスムーズに回動板１８を回動操作することができる。
【００３４】
（実施の形態４）
実施の形態４について、図１０および図１１を参照しながら説明する。
【００３５】
なお、実施の形態１〜３と同様の構成要素は同一符号とし、その詳細な説明は省略する。
【００３６】
図１０および図１１に示すように、回動板１８に２箇所ずつ回動操作部２７を備え、回動操作部２７とそれぞれ同一方向に回動板１８と同一平面上に突出した同一形状の突起部２８ａ、２８ｂを備え、この突起部２８ａまたは２８ｂに対し直行した方向からＵ字型の溝を有する回動静止板２９を備える。突起部２８ａは輻射方向を固定するために鉛直方向を０度として２０度の位置に、突起部２８ｂは１６度の位置に設けられている。回動静止板２９は暖房ユニット側板９と吹出しガード２１との間に位置し、回動静止板２９の両側には暖房ユニット側板９から回動静止板２９が回転しないように突起を２箇所備えた構成である。
【００３７】
上記構成により、排気アダプター２２の方向に合わせて浴室換気乾燥機１を浴室の天井に施工するときに、輻射暖房ユニット８の吹出しガード２１を外し、回動静止板２９を外側に向けて横方向へスライド操作して、回動板１８に設けられた突起部２８ａを挟み込んでいた回動静止板２９のＵ字型の切り欠きから外し、突起部２８ｂを回動静止板２９のところまで回動板１８を回動させた後、回動静止板２９を今度は内側に向けて横方向へスライド操作して回動板１８に設けられた突起部２８ｂをＵ字型の切り欠きにより挟み込ませることで輻射方向を選択した後の固定が確実にできる。
【００３８】
なお、回動静止板２９にＵ字型の切り欠きを設けたが、回動板１８の突起部２８ａ、２８ｂを固定できる形状であれば他の形状でもその作用効果に差異はない。
【００３９】
（実施の形態５）
実施の形態５について、図１２〜図１８を参照しながら説明する。
【００４０】
なお、実施の形態１〜４と同様の構成要素は同一符号とし、その詳細な説明は省略する。
【００４１】
図１２〜図１８に示すように、浴室換気乾燥機２５に設けられた輻射暖房ユニット３０の暖房ユニット側板３１は回動軸１０と２本の輻射ヒーター１２が貫通し回動させるための開口３２と回動板３５をネジで固定するための穴３４とを備え、反射板１５によって連結された２枚の回動板３５は、輻射ヒーター１２を貫通させる２個の貫通穴１６と貫通穴１６の中心を結ぶ中心線２４から下方にずれた位置に回動軸穴３６と鉛直下方向を０度として輻射方向を設定するために−１６度と＋２０度の位置にネジ穴３３ａ、３３ｂを備え、回動板３５の下辺は吹出しガード３７から下方へ突出させた構成である。
【００４２】
上記構成において、回動板３５に設けられた回動軸穴３６は、２本の輻射ヒーター１２を貫通させる２個の貫通穴１６の中心を結ぶ中心線２４から下方にずれた位置にしているため、輻射ヒーター１２の回動後の位置を吹出しガード３７へ近づけることができる。このため、輻射暖房ユニット３０から放射される輻射熱が本体２により妨げられる範囲を低減させ、多くの輻射熱を浴室４０内の洗い場４２にいる入浴者へと到達させ、洗い場４２にいる入浴者の暖めることができる。
【００４３】
また、回動板３５の下辺は、吹出しガード３７から下方へ突出しているため、吹出しガード３７を取り外すことなく輻射方向４３を変更できる。
【００４４】
なお、実施の形態５では輻射ヒーターを２本としたが、２本以上の輻射ヒーターを設けても良く、その作用効果に差異はない。
【００４５】
また、一坪タイプの浴室４０用に輻射ヒーター１２の回動範囲を−１６度と＋２０度としたが、浴室換気乾燥機２５の取付位置および浴室４０の広さにより回動範囲を変更しても良く、その作用効果に差異はない。
【００４６】
（実施の形態６）
実施の形態６について、図面１９を参照しながら説明する。
【００４７】
なお、実施の形態５と同様の構成要素は同一符号とし、その詳細な説明は省略する。
【００４８】
図１９に示すように、輻射暖房ユニット３０の暖房ユニット側板３１は回動軸１０と２本の輻射ヒーター１２が貫通し回動させるための開口３２と回動板３５をネジで固定するための穴３４に加え、輻射暖房ユニット３０の内側に向けて回動板３５の上部端面に水平に接する位置を回動板位置決め部３８を１箇所備えた構成である。
【００４９】
上記構成において、回動板３５を回動軸１０周りに回動させるために下方より操作するとき、回動板３５には上方向の応力と回転方向の力が作用するために回動板３５は上方へずれようとするが回動板３５の上部端面に水平に接する位置に設けられた回動板位置決め部３８により回動板３５の上方向の位置が決められるため、回動板３５の回動軸穴３６が回動軸１０から外れることなく操作できる。
【００５０】
なお、実施の形態６では、回動板位置決め部３８の形状を水平の切り起しとしたが、回動板３５の上部端面の位置を決めることができる形状で他の形状、例えば円弧形状としてもよく、その効果作用に差異はない。
【００５１】
また、回動板位置決め部３８の個数を１箇所としたが、２箇所以上でも良く、その作用効果に差異はない。
【００５２】
（実施の形態７）
実施の形態７について、図面２０を参照しながら説明する。
【００５３】
なお、実施の形態５および６と同様の構成要素は同一符号とし、その詳細な説明は省略する。
【００５４】
図２０に示すように、回動板３５の上部端面に回動板３５と同一平面上に鉛直上方向を０度、回動軸穴３６を中心として右に２０度、左に１６度の角度で２箇所の突起部３９ａ、３９ｂを備えた構成である。
【００５５】
上記構成により、排気アダプター２２の方向に合わせて浴室換気乾燥機２５を浴室の天井に施工するときに、回動板３５を回動軸１０を中心として回動させて輻射方向を可変させたときに、暖房ユニット側板３１に設けられた回動板位置決め部３８と右に２０度回動させたときは突起部３９ａがぶつかり、左に１６度回動させたときは突起部３９ｂがぶつかることで、吹出しガード３７を着脱させなくとも設定した輻射方向へ反射板１５および２本の輻射ヒーター１２を向けることができるとともに、設定した回動範囲以上に回動板３５を回動させないようにできる。
【産業上の利用可能性】
【００５６】
本発明にかかる浴室換気乾燥機のヒーターの輻射方向の可変構造は、浴室換気乾燥機の設定方向の制約をなくした構造によって、空調機、送風機等に設けられている可変構造にも適用できる。
【図面の簡単な説明】
【００５７】
【図１】本発明の実施の形態１の浴室換気乾燥機の外観を示す分解斜視図
【図２】同浴室換気乾燥機の輻射暖房ユニットの形状を示す分解構成図
【図３】同浴室換気乾燥機の回転板の形状を示す拡大構成図
【図４】同浴室換気乾燥機の基本の輻射方向の設置状態を示す側面構成図
【図５】同浴室換気乾燥機の回転板の形状を示す拡大構成図
【図６】同浴室換気乾燥機の基本とは反対の輻射方向の設置状態を示す側面構成図
【図７】同浴室換気乾燥機の回転板の形状を示す拡大構成図
【図８】本発明の実施の形態２の浴室換気乾燥機の輻射暖房ユニットの形状を示す分解斜視図
【図９】本発明の実施の形態３の浴室換気乾燥機の輻射暖房ユニットの形状を示す拡大分解図
【図１０】本発明の実施の形態４の浴室換気乾燥機の輻射暖房ユニットの形状を示す拡大分解図
【図１１】同浴室換気乾燥機の輻射暖房ユニットの形状を示す分解斜視図
【図１２】本発明の実施の形態５の浴室換気乾燥機の外観を示す分解構成図
【図１３】同浴室換気乾燥機の輻射暖房ユニットの形状を示す分解構成図
【図１４】同浴室換気乾燥機の回転板の形状を示す拡大構成図
【図１５】同浴室換気乾燥機の基本の輻射方向の設置状態を示す側面構成図
【図１６】同浴室換気乾燥機の回転板の形状を示す拡大構成図
【図１７】同浴室換気乾燥機の基本とは反対の輻射方向の設置状態を示す側面構成図
【図１８】同浴室換気乾燥機の回転板の形状を示す拡大構成図
【図１９】本発明の実施の形態６の浴室換気乾燥機の輻射暖房ユニットの形状を示す拡大分解図
【図２０】本発明の実施の形態７の浴室換気乾燥機の輻射暖房ユニットの形状を示す拡大分解図
【図２１】従来の浴室換気乾燥機の側面構成図
【図２２】同浴室換気乾燥機の暖房ユニットの部分側面構成図
【図２３】同浴室換気乾燥機の暖房ユニットの部分正面構成図
【符号の説明】
【００５８】
１      浴室換気乾燥機
４      循環モーター
６      換気モーター
１１    回動軸部
１２    輻射ヒーター
１３    開口
１５    反射板
１７    回動軸穴
１８    回動板
１９    開口
２１    吹出しガード
２５    浴室換気乾燥機
２６    回動板位置決め部
２７    回動操作部
２８ａ  突起部
２８ｂ  突起部
３２    開口
３５    回動板
３６    回動軸穴
３７    吹出しガード
３８    回動板位置決め部
３９ａ  突起部
３９ｂ  突起部
【図１】
0004760553.tif 000002
【図２】
0004760553.tif 000003
【図３】
0004760553.tif 000004
【図４】
0004760553.tif 000005
【図５】
0004760553.tif 000006
【図６】
0004760553.tif 000007
【図７】
0004760553.tif 000008
【図８】
0004760553.tif 000009
【図９】
0004760553.tif 000010
【図１０】
0004760553.tif 000011
【図１１】
0004760553.tif 000012
【図１２】
0004760553.tif 000013
【図１３】
0004760553.tif 000014
【図１４】
0004760553.tif 000015
【図１５】
0004760553.tif 000016
【図１６】
0004760553.tif 000017
【図１７】
0004760553.tif 000018
【図１８】
0004760553.tif 000019
【図１９】
0004760553.tif 000020
【図２０】
0004760553.tif 000021
【図２１】
0004760553.tif 000022
【図２２】
0004760553.tif 000023
【図２３】
0004760553.tif 000024